(57)【要約】【課題】ユーザによる操作が容易な加熱調理器を提供する。【解決手段】加熱調理器３０の本体部２１は前面２１Ｆと上面２１Ｔとを有し、その上面２１Ｔに加熱部２２が配置されている。操作パネル１は、本体部２１の前面２１Ｆに取り付けられている。操作パネル１は、本体部２１に対して移動することにより、起立姿勢と、その起立姿勢から操作パネル１の下端１Ｌが前方に移動した傾斜姿勢とを取ることができるように構成されている。【選択図】図２
2020085394.tif 000002
【特許請求の範囲】
【請求項１】
被加熱物を加熱する加熱部と、
前面と上面とを有し、前記上面に前記加熱部が配置された本体部と、
前記本体部の前記前面に取り付けられた操作パネルと、を備え、
前記操作パネルは、前記本体部に対して移動することにより、起立姿勢と、前記起立姿勢から前記操作パネルの下端が前方に移動した傾斜姿勢とを取ることができるように構成されている、加熱調理器。
【請求項２】
前記傾斜姿勢における前記操作パネルの上端が前記起立姿勢における前記上端の位置よりも下方に位置する、請求項１に記載の加熱調理器。
【請求項３】
前記傾斜姿勢において、前記下端は、前記上端よりも前方に位置する、請求項２に記載の加熱調理器。
【請求項４】
前記操作パネルの後面に取り付けられ、上部支持体と、前記上部支持体よりも下方に位置する下部支持体とを有する支持部材と、
前記上部支持体を少なくとも上下方向にスライド可能に支持し、かつ前記下部支持体を少なくとも前後方向にスライド可能に支持する支持構造体とをさらに備えた、請求項１から請求項３のいずれか１項に記載の加熱調理器。
【請求項５】
前記支持構造体には、前記上部支持体を少なくとも上下方向にスライド可能にガイドするガイド穴が配置されており、
前記ガイド穴は、
上下方向に延びる第１ガイド穴部と、
前記第１ガイド穴部の下部に接続され、かつ下方に向かうにしたがって前方に位置するように傾斜した第２ガイド穴部と、を有する、請求項４に記載の加熱調理器。
【請求項６】
前記本体部は、前記前面に操作部を有し、
前記操作パネルは、前記起立姿勢において前記操作部の前方を覆い、前記傾斜姿勢において前記操作部の前方を開放する、請求項１から請求項３のいずれか１項に記載の加熱調理器。
【請求項７】
前記操作部は、前記加熱調理器が操作を受け付けない状態となるように切り換える機能を有する、請求項６に記載の加熱調理器。
【請求項８】
前記操作パネルが前記傾斜姿勢になると前記操作パネルの表示部の電源をオンに切り換えるスイッチ部をさらに備えた、請求項１から請求項７のいずれか１項に記載の加熱調理器。
【請求項９】
前記操作パネルに設けられ、かつレンジフードにおけるファンの動作を操作する信号を送信するファン制御信号送信部をさらに備えた、請求項１から請求項８のいずれか１項に記載の加熱調理器。
【発明の詳細な説明】
【技術分野】
【０００１】
本発明は、加熱調理器に関するものである。
【背景技術】
【０００２】
従来、加熱調理器の上面に、複数の加熱手段と、その複数の加熱手段のそれぞれに対応した複数の操作部とが配置された構成が知られている。このような構成は、たとえば特開２００６−３１７０６６号公報（特許文献１参照）に開示されている。
【０００３】
また加熱調理器の前面に、操作部を設けた構成は、たとえば特開２０１４−３５１２３号公報（特許文献２参照）に開示されている。特許文献２では、調理器本体の前面の左右両側に下方側運転操作部が配置されている。この左右両側の下方側運転操作部の各々は、調理器本体の内方に引退させた引退位置と、調理器本体の前方に突出させた突出位置との間で出退自在となるように構成されている。
【先行技術文献】
【特許文献】
【０００４】
【特許文献１】特開２００６−３１７０６６号公報
【特許文献２】特開２０１４−３５１２３号公報
【発明の概要】
【発明が解決しようとする課題】
【０００５】
しかしながら特許文献１の構成では、加熱調理器の上面に加熱手段と操作部との双方が配置されているため、加熱手段の熱によって操作部の温度が上昇しやすい。操作部の温度が上昇すると、ユーザーは操作部を操作することが困難となる。
【０００６】
また特許文献２の構成では、操作部を調理器本体の内方に引退させるため、操作部のサイズを大型化することが難しい。このため操作部のサイズを大型化して操作部の操作を容易にすることが望まれる。
【０００７】
本発明は、上記の課題に鑑みてなされたものであり、その目的は、ユーザによる操作が容易な加熱調理器を提供することである。
【課題を解決するための手段】
【０００８】
本発明の加熱調理器は、加熱部と、本体部と、操作パネルとを備えている。加熱部は、被加熱物を加熱する。本体部は前面と上面とを有し、その上面に加熱部が配置されている。操作パネルは、本体部の前面に取り付けられている。操作パネルは、本体部に対して移動することにより、起立姿勢と、その起立姿勢から操作パネルの下端が前方に移動した傾斜姿勢とを取ることができるように構成されている。
【０００９】
本発明の加熱調理器によれば、操作パネルが本体部の前面に取り付けられているため、加熱部によって被加熱物を加熱した場合でも、操作パネルの温度が高くなることは防止される。よってユーザーは操作パネルを容易に操作することができる。
【００１０】
また操作パネルは本体部の前方にて起立姿勢と傾斜姿勢との間で移動する。このため操作パネルを本体部に格納する必要がなく、操作パネルを大型化することが容易である。操作パネルを大型化することによって、ユーザーによる操作パネルの操作が容易となる。
【００１１】
また操作パネルを傾斜姿勢とすることにより、ユーザーが操作パネルを視認しやすい状態にすることができる。このためユーザーによる操作パネルの操作が容易となる。
【００１２】
上記の加熱調理器において、傾斜姿勢における操作パネルの上端は起立姿勢における上端の位置よりも下方に位置する。
【００１３】
これにより操作パネルが傾斜姿勢にあるときに、起立姿勢にあるときよりも、操作パネルを本体部の上面から離すことができる。このため加熱部によって被加熱物を加熱した場合でも、操作パネルの温度が高くなることはより確実に防止される。
【００１４】
上記の加熱調理器において、傾斜姿勢において、下端は、上端よりも前方に位置する。
これにより操作パネルは後方から前方に向かって下り勾配となる。このため加熱調理器の前方に立って加熱調理器を操作するユーザーは下前方に視点を向けることにより操作パネルを見やすくなる。
【００１５】
上記の加熱調理器は、支持部材と、支持構造体とをさらに備えている。支持部材は、操作パネルの後面に取り付けられ、上部支持体と、その上部支持体よりも下方に位置する下部支持体とを有している。支持構造体は、上部支持体を少なくとも上下方向にスライド可能に支持し、かつ下部支持体を少なくとも前後方向にスライド可能に支持している。
【００１６】
これにより操作パネルを傾斜姿勢において後方から前方に向かって下り勾配とすることが可能となる。
【００１７】
上記の加熱調理器において、支持構造体には、上部支持体を少なくとも上下方向にスライド可能にガイドするガイド穴が配置されている。ガイド穴は、第１ガイド穴部と、第２ガイド穴部とを有している。第１ガイド穴部は、上下方向に延びている。第２ガイド穴部は、第１ガイド穴部の下部に接続され、かつ下方に向かうにしたがって前方に位置するように傾斜している。
【００１８】
これにより操作パネルが起立姿勢から傾斜姿勢に移動する際に、他の部材に当接しにくくすることができる。
【００１９】
上記の加熱調理器において、本体部は、前面に操作部を有している。操作パネルは、起立姿勢において操作部の前方を覆い、傾斜姿勢において操作部の前方を開放する。
【００２０】
これにより操作パネルを起立姿勢にして操作部を操作パネルで隠すことによりシンプルな外観を実現することができる。また操作パネルを傾斜姿勢にして操作部を操作パネルから露出することによりユーザーによる操作部の操作が可能になる。
【００２１】
上記の加熱調理器において、操作部は、加熱調理器が操作を受け付けない状態となるように切り換える機能を有する。
【００２２】
この操作部により、加熱調理器（操作パネルの操作部など）が操作（たとえば加熱部における加熱開始、タイマー設定、湯沸・炊飯などの自動調理の設定などの操作）を受け付けない状態に切り換えられる。また操作パネルが起立姿勢にある場合には、操作部の前方を操作パネルにより覆うことができる。このように加熱調理器が操作を受け付けない状態にされるとともに、操作部の前方が操作パネルにより覆われることにより、幼児などによる加熱調理器の誤操作を抑制することが可能となる。
【００２３】
上記の加熱調理器は、操作パネルが傾斜姿勢になると操作パネルの表示部の電源をオンに切り換えるスイッチをさらに備えている。
【００２４】
これにより操作パネルの傾斜姿勢への移行に伴って自動的に操作パネルにおける表示部の電源をオンに切り換えることが可能となる。
【００２５】
上記の加熱調理器は、操作パネルに設けられ、かつレンジフードにおけるファンの動作を操作する信号を送信するファン制御信号送信部をさらに備えている。
【００２６】
これにより操作パネルが傾斜姿勢になることで、ファン制御信号送信部から送信された制御信号が上方のレンジフードに届きやすくなる。
【発明の効果】
【００２７】
以上説明したように本発明によれば、ユーザによる操作が容易な加熱調理器を実現することができる。
【図面の簡単な説明】
【００２８】
【図１】本発明の一実施の形態における加熱調理器の操作パネルが起立姿勢にある状態を示す斜視図である。
【図２】本発明の一実施の形態における加熱調理器の操作パネルが傾斜姿勢にある状態を示す斜視図である。
【図３】図１の加熱調理器に用いられる操作パネル駆動ユニットの構成を示す分解斜視図である。
【図４】図３に示す操作パネル駆動ユニットの操作パネルが起立姿勢にある状態を示す側面図である。
【図５】図３に示す操作パネル駆動ユニットの操作パネルが傾斜姿勢にある状態を示す側面図である。
【図６】図１の加熱調理器に含まれるファン制御信号送信部からレンジフードに信号を送信する様子を示す図である。
【図７】図１の加熱調理器およびレンジフードの各々の機能ブロックを示す図である。
【図８】図１の加熱調理器をキッチンキャビネットに組み付ける様子を示す図である。
【図９】図１の加熱調理器をキッチンキャビネットに組み付けた状態を示す図である。
【図１０】ガイド穴が直線状である比較例における操作パネルの移動軌跡を示す概念図である。
【図１１】ガイド穴が屈曲している実施の形態における操作パネルの移動軌跡を示す概念図である。
【発明を実施するための形態】
【００２９】
以下、本開示の実施の形態について、図に基づいて説明する。
なお、明細書および図面において、同一の構成要素または対応する構成要素には、同一の符号を付し、重複する説明を繰り返さない。また、図面では、説明の便宜上、構成を省略または簡略化している場合もある。
【００３０】
＜加熱調理器３０の構成＞
また本実施の形態の加熱調理器の構成について図１および図２を用いて説明する。
【００３１】
図１に示されるように、本実施の形態の加熱調理器３０は、たとえばガスこんろである。加熱調理器３０は、本体部２１と、複数の加熱部２２と、複数の操作パネル駆動ユニットＯＵとを主に有している。
【００３２】
本体部２１は、ほぼ平坦な上面２１Ｔを有している。本体部２１の上面２１Ｔには、複数の加熱部２２が設けられている。複数の加熱部２２の各々は、被加熱物を加熱するためのものである。
【００３３】
複数の加熱部２２の各々には、たとえばブンゼン式のガスバーナが採用されている。ただし複数の加熱部２２の各々は、ブンゼン式以外のガスバーナであってもよい。複数の加熱部２２は、たとえば３つの加熱部を有している。
【００３４】
本体部２１は、前面２１Ｆを有している。前面２１Ｆは、加熱調理器３０を使用するユーザーから見て本体部２１の手前側の面である。グリル加熱部２１Ｇが本体部２１に設けられている。グリル加熱部２１Ｇの取り入れ・取り出し口は、本体部２１の前面２１Ｆに配置されている。
【００３５】
複数の操作パネル駆動ユニットＯＵは、たとえば２つの操作パネル駆動ユニットＯＵを有している。２つの操作パネル駆動ユニットＯＵの双方は、本体部２１の前面２１Ｆに配置されている。２つの操作パネル駆動ユニットＯＵの一方は、グリル加熱部２１Ｇの一方側端側（加熱調理器３０を使用するユーザーから見て右側）に配置されている。また２つの操作パネル駆動ユニットＯＵの他方は、グリル加熱部２１Ｇの他方側端側（加熱調理器３０を使用するユーザーから見て左側）に配置されている。
【００３６】
複数の操作パネル駆動ユニットＯＵの各々は、操作パネル１を有している。操作パネル１は、操作部を有している。操作パネル１の操作部は、たとえばメンブレンスイッチと液晶表示素子とを有している。また操作パネル１の操作部は、たとえばタッチパネルディスプレイであってもよい。また操作パネル１の操作部は、たとえばメンブレンスイッチ、液晶表示素子およびタッチパネルディスプレイの組み合わせであってもよい。
【００３７】
操作パネル１がタッチパネルディスプレイを有する場合、そのタッチパネルディスプレイは静電容量方式、抵抗膜方式、表面弾性波方式、赤外線方式、電磁誘導方式などのいずれの方式であってもよい。
【００３８】
操作パネル１の操作部は、たとえば加熱部制御スイッチ、グリル制御スイッチ、電源スイッチなどを有している。
【００３９】
加熱部制御スイッチは、加熱部２２の点火（加熱部２２の駆動開始）、消火（加熱部２２の駆動停止）、火力調整などを操作可能である。グリル制御スイッチは、グリル加熱部２１Ｇの点火（グリル加熱部２１Ｇの駆動開始）、消火（グリル加熱部２１Ｇの駆動停止）、火力調整などを操作可能である。また電源スイッチは、本体部２１の電源をオンまたはオフに操作可能である。
【００４０】
操作パネル１は、本体部２１の前面２１Ｆに取り付けられている。操作パネル１は、本体部２１に対して移動するように構成されている。操作パネル１は、本体部２１に対して移動することにより、図１に示す起立姿勢と、図２に示す傾斜姿勢とを取り得る。
【００４１】
操作パネル１が図１に示す起立姿勢にある状態では、操作パネル１の上端１Ｕと下端１Ｌとは上下方向に沿って位置している。具体的には加熱調理器３０が水平な面上に載置された状態において、起立姿勢にある操作パネル１の上端１Ｕは下端１Ｌの鉛直方向真上に位置している。
【００４２】
操作パネル１が図２に示す傾斜姿勢にある状態では、操作パネル１の下端１Ｌが、起立姿勢にある操作パネル１の下端１Ｌよりも前方（加熱調理器３０を使用するユーザーから見て手前側）に移動している。
【００４３】
この傾斜姿勢において操作パネル１の下端１Ｌは上端１Ｕよりも前方側に位置している。具体的には加熱調理器３０が水平な面上に載置された状態において、傾斜姿勢にある操作パネル１は、後方側の上端１Ｕから前方側の下端１Ｌに向かって下り勾配を有している。
【００４４】
また傾斜姿勢における操作パネル１の上端１Ｕは、起立姿勢における操作パネル１の上端１Ｕの位置よりも下方に位置している。
【００４５】
上記加熱調理器３０は、外部装置と無線または有線で通信可能な通信部を有していてもよい。加熱調理器３０は、この通信部によりインターネットまたはイントラネットに接続可能である。この通信部は、操作パネル１に表示する情報を外部装置から入手してもよい。
【００４６】
上記通信部と外部装置との通信は、たとえばＢＬＵＥＴＯＯＴＨ（登録商標）、Ｗｉ−Ｆｉ（登録商標）、Ｗｉ−ＳＵＮ（登録商標）、特定小電力無線、ＨＥＭＳ（Home  Energy  Management  System）上での接続などのいずれかの方法で行われてもよい。
【００４７】
＜操作パネル駆動ユニットＯＵの構成＞
次に、上記加熱調理器３０に用いられる操作パネル駆動ユニットＯＵの構成について図３を用いて説明する。
【００４８】
図３に示されるように、操作パネル駆動ユニットＯＵは、上記操作パネル１と、支持部材２と、支持構造体とを有している。支持部材２は、操作パネル１の後面に取り付けられている。支持部材２は、左右１対の上部支持体２ａと、左右１対の下部支持体２ｂと、取り付け部２ｃとを有している。
【００４９】
左右１対の上部支持体２ａ、左右１対の下部支持体２ｂおよび取り付け部２ｃは、たとえば１枚の板を折り曲げることにより構成されており、一体的に構成されている。このため左右１対の上部支持体２ａおよび左右１対の下部支持体２ｂの各々は取り付け部２ｃに接続されている。
【００５０】
取り付け部２ｃは、たとえば平板形状を有しており、操作パネル１の後面にボルトなどの締結部材により固定されている。左右１対の上部支持体２ａおよび左右１対の下部支持体２ｂの各々は、操作パネル１の後面から後方に延びている。左右１対の下部支持体２ｂは、左右１対の上部支持体２ａの下方に位置している。
【００５１】
支持構造体は、左右１対の上部支持体２ａを少なくとも上下方向にスライド可能に支持し、かつ左右１対の下部支持体２ｂを少なくとも前後方向にスライド可能に支持している。
【００５２】
支持構造体は、軸３、４と、軸支持部５と、スライド部材６と、左右１対の支持板１１と、レール１２とを有している。
【００５３】
左右１対の支持板１１の各々は、ガイド穴１１ａを有している。ガイド穴１１ａは支持板１１を貫通している。右側の支持板１１のガイド穴１１ａと左側の支持板１１のガイド穴１１ａとは互いに同じ形状を有している。
【００５４】
ガイド穴１１ａは、第１ガイド穴部１１ａａと、第２ガイド穴部１１ａｂとを有している。第１ガイド穴部１１ａａは、上下方向に沿って延びている。第２ガイド穴部１１ａｂは、第１ガイド穴部１１ａａの下部に接続され、かつ下方に向かうにしたがって前方に位置するように傾斜している。
【００５５】
軸３は、右側の支持板１１のガイド穴１１ａと左側の支持板１１のガイド穴１１ａとの双方に挿通されている。軸３は、左右１対の支持板１１の各々におけるガイド穴１１ａに沿ってスライド可能である。
【００５６】
軸３は、左右１対の上部支持体２ａの双方に取り付けられている。これにより左右１対の上部支持体２ａは、支持板１１に対してガイド穴１１ａの延在方向に沿ってスライド可能であり、かつ支持板１１に対して軸３を中心に回転可能である。
【００５７】
またレール１２には、スライド部材６がスライド可能に係合している。スライド部材６は、レール１２の長手方向に沿ってスライド移動可能である。レール１２の長手方向は、後方から前方に向かって下り勾配となるように傾斜している。このためスライド部材６は、レール１２の長手方向に沿って後方から前方へスライド移動するにしたがって上方から下方へ移動する。
【００５８】
スライド部材６の前端には、軸支持部５が取り付けられている。軸支持部５は軸４を介在して下部支持体２ｂに取り付けられている。これにより軸支持部５およびスライド部材６の各々は、下部支持体２ｂに対して軸４を中心に回転可能である。
【００５９】
これにより左右１対の下部支持体２ｂは、レール１２の延在方向に沿ってスライド可能であり、かつ軸支持部５およびスライド部材６に対して軸４を中心に回転可能である。
【００６０】
上記のように支持構造体が操作パネル１をスライドおよび回転可能に支持しているため、操作パネル１は起立姿勢と傾斜姿勢との間で移動可能である。
【００６１】
また操作パネル駆動ユニットＯＵは、ラックギア７と、爪部８と、ロータリーダンパ１３と、爪係合部１４と、スイッチ１５と、付勢部材１６（図４参照）と、Ｌ字パネル１７と、操作ボタン１８（図４参照）とをさらに有している。
【００６２】
爪部８は、操作パネル１の後面側に取り付けられている。爪係合部１４は、この爪部８に係合可能である。操作パネル１が起立姿勢（図４）にある状態では、爪部８が爪係合部１４に係合している。
【００６３】
爪部８が爪係合部１４に係合した状態では、爪係合部１４は爪部８を係合した状態を維持するように構成されている。また爪係合部１４は、爪部８が爪係合部１４に係合した状態から爪係合部１４側へさらに押し込まれると爪部８との係合を解除するように構成されている。
【００６４】
付勢部材１６（図４参照）は、上部支持体２ａを下方に向けて付勢している。付勢部材１６は、たとえばバネである。付勢部材１６の上端はたとえば上部支持体２ａまたは軸３に取り付けられている。また付勢部材１６の下端は、たとえば支持板１１に固定された部材に取り付けられている。
【００６５】
ラックギア７は、スライド部材６のたとえば上面に取り付けられている。このラックギア７に噛み合うようにロータリーダンパ１３が設けられている。ロータリーダンパ１３は、ラックギア７のスライド運動にブレーキをかけ、ラックギア７およびスライド部材６のスライド移動を減速させるように構成されている。
【００６６】
スイッチ１５は、たとえば操作パネル１における操作表示のオン・オフを切り換えるスイッチである。スイッチ１５は、本体部１５ａと、操作部１５ｂとを有している。操作部１５ｂは、本体部１５ａから突き出している。
【００６７】
操作部１５ｂは、操作パネル１が傾斜姿勢（図５）にあるときに、上部支持体２ａにより本体部１５ａ内に押し込まれるよう構成されている。また操作部１５ｂは、操作パネル１が起立姿勢（図４）にあるときに、上部支持体２ａから離れ、本体部１５ａ内への押し込みが解除されるよう構成されている。
【００６８】
操作部１５ｂが本体部１５ａ内に押し込まれることにより、操作パネル１における操作表示がオフ状態からオン状態へ切り替わるようにスイッチ１５は構成されている。また操作部１５ｂの本体部１５ａ内への押し込みが解除されることにより、操作パネル１における操作表示がオン状態からオフ状態へ切り替わるようにスイッチ１５は構成されている。
【００６９】
Ｌ字パネル１７は、操作パネル１の後方側に配置されている。Ｌ字パネル１７は、Ｌ字の断面形状を有している。Ｌ字パネル１７は、上下延在部１７ａと、前後延在部１７ｂとを有している。上下延在部１７ａは上下方向に沿って延びている。前後延在部１７ｂは上下延在部１７ａの下端に接続されており、上下延在部１７ａの下端から前方に延びている。前後延在部１７ｂは前後方向に沿って延びている。
【００７０】
操作ボタン１８（図４）は、Ｌ字パネル１７の上下延在部１７ａに配置されている。操作ボタン１８は、たとえばチャイルドロックである。具体的には操作ボタン１８は、子供のいたずら操作により他の操作部が操作されても、加熱調理器３０が、加熱部２２における加熱開始、タイマー設定、湯沸・炊飯などの自動調理の設定などの操作を受け付けない状態となるように切り換える機能を有している。
【００７１】
また操作ボタン１８は、本体部２１の前面２１Ｆにおいて、加熱調理器３０の電源をオンに切り換えるスイッチ部（図示せず）と並列に配置されてもよい。また上記操作ボタン１８は、加熱調理器３０の電源をオンに切り換えるスイッチ部と兼用されてもよい。操作ボタン１８とスイッチ部とが並列に設けられる場合、操作ボタン１８が操作されると、操作パネル１の他にスイッチ部も操作を受け付けない状態（受付不可状態）となる。操作ボタン１８とスイッチ部とが兼用される場合、操作ボタン１８が長押し（たとえば３秒以上）操作されることにより、操作パネル１は、加熱部２２における加熱開始、タイマー設定、湯沸・炊飯などの自動調理の設定などの操作を受け付けない状態（受付不可状態）となる。
【００７２】
なお操作パネル１の後面側には、側板９が取り付けられている。側板９は、操作パネル１の側端に位置している。側板９は、操作パネル１の起立姿勢および傾斜姿勢との間の移動により他の部材と干渉しないように位置決めされ，かつ形状を決定されている。
【００７３】
＜操作パネル駆動ユニットＯＵの動作＞
次に、上記加熱調理器３０に用いられる操作パネル駆動ユニットＯＵの動作について図４および図５を用いて説明する。
【００７４】
図４に示されるように、操作パネル１が起立姿勢にある状態では、操作パネル１の上端１Ｕは操作パネル１の下端１Ｌの真上に位置している。また爪部８が爪係合部１４に係合している。このため外部から力が作用しなければ、爪係合部１４が爪部８を係合した状態が維持され、操作パネル１が起立姿勢に維持されている。
【００７５】
上部支持体２ａとスイッチ１５の操作部１５ｂとは離れている。このため操作パネル１における操作表示はオフ状態である。付勢部材１６は上部支持体２ａを下方に付勢している。
【００７６】
操作パネル１が起立姿勢にある状態では、Ｌ字パネル１７の前方は操作パネル１により覆われている。このためＬ字パネル１７に設けられた操作ボタン１８の前方は操作パネル１により覆われている。
【００７７】
このため図１に示されるように、操作パネル１が起立姿勢にあるときには、加熱調理器３０の外部からＬ字パネル１７および操作ボタン１８を視認することはできない。これにより操作パネル１が起立姿勢にあるときには、加熱調理器３０はシンプルな外観を呈する。
【００７８】
図４を参照して、この起立姿勢から操作パネル１の下端が前方から後方へ向かって押し込まれる。これにより爪係合部１４は、爪部８が爪係合部１４に係合した状態から爪係合部１４側へさらに押し込まれ、爪部８と爪係合部１４との係合が解除される。
【００７９】
爪部８と爪係合部１４との係合が解除されると、付勢部材１６の付勢力により上部支持体２ａが下方に移動し、下部支持体２ｂが前方に移動する。このとき軸３は支持板１１のガイド穴１１ａに沿って下方へ移動し、かつスライド部材６がレール１２に沿って前方へ移動する。
【００８０】
図５に示されるように、上記のように上部支持体２ａがガイド穴１１ａに沿って下方へ移動し、かつ下部支持体２ｂがレール１２に沿って前方へ移動することにより操作パネル１が傾斜姿勢へ移行する。
【００８１】
起立姿勢から傾斜姿勢への移行時には、スライド部材６のスライドに伴ってラックギア７もスライドする。このラックギア７にはロータリーダンパ１３（図３）が噛み合っている。このロータリーダンパ１３は、ラックギア７とかみ合うことにより、ラックギア７のスライド運動にブレーキをかけ、ラックギア７およびスライド部材６のスライド移動を減速させる。これにより操作パネル１は緩やかに起立姿勢から傾斜姿勢へ移行する。
【００８２】
傾斜姿勢では、上部支持体２ａはスイッチ１５の操作部１５ｂに当接し、操作部１５ｂを本体部１５ｂ内へ押し込む。これにより操作パネル１における操作表示がオフ状態からオン状態へ切り替わる。
【００８３】
操作パネル１における操作表示がオンになると、操作表示が点灯し、操作を受け付ける状態となる。この状態でユーザーが操作表示を操作することで加熱調理器３０の操作が可能となる。
【００８４】
操作パネル１が傾斜姿勢にある状態では、Ｌ字パネル１７の前方は操作パネル１により覆われておらず開放されている。このためＬ字パネル１７に設けられた操作ボタン１８の前方も操作パネル１により覆われておらず開放されている。これによりユーザーは、操作ボタン１８を操作することが可能となる。
【００８５】
図５に示される傾斜姿勢からユーザーが操作パネル１の下端部を後方に向かって押し込むことにより、操作パネル１を傾斜姿勢から起立姿勢へ移行させることができる。この場合、下部支持体２ｂはレール１２に沿って後方へスライド移動し、上部支持体２ａはガイド穴１１ａに沿って上方へスライド移動する。
【００８６】
上部支持体２ａが上方へ移動することにより、上部支持体２ａとスイッチ１５の操作部１５ｂとの当接状態が解除され、操作部１５ｂが本体部１５ａに押し込まれた状態が解除される。これにより操作パネル１における操作表示がオン状態からオフ状態へ切り替わる。
【００８７】
操作パネル１における操作表示がオフになると、操作表示が消灯し、操作を受け付けない状態となる。この状態でユーザーが操作パネルを操作しても加熱調理器３０を操作することはできない。
【００８８】
操作パネル１の下端部を後方へ押し込み続けると、最終的には爪部８が爪係合部１４内に挿入され、爪係合部１４と係合しロックされる。これにより操作パネル１は起立姿勢で維持される。
【００８９】
＜その他の構成および機能ブロック＞
次に、本実施の形態の加熱調理器３０の上記以外の構成と機能ブロックとについて図６および図７を用いて説明する。
【００９０】
図６に示されるように、操作パネル１は、ファン制御信号送信部３２を有していてもよい。このファン制御信号送信部３２は、レンジフード４０のファン４４の回転を制御する信号をレンジフード４０のファン制御信号受信部４２へ送信する部分である。ファン制御信号送信部３２およびファン制御信号受信部４２は、たとえば赤外線で信号を送受信するものである。
【００９１】
上記レンジフード４０は、加熱調理器３０の上方に配置されている。このレンジフード４０は、上記ファン制御信号受信部４２と、駆動源４３と、ファン４４とを主に有している。ファン４４はレンジフード４０内に配置されており、駆動源４３からの駆動力を受けて回転する。ファン４４はたとえばシロッコファンであり、駆動源４３はたとえばモータである。
【００９２】
図７は、加熱調理器３０およびレンジフード４０の各々の機能ブロック図を示している。図７に示されるように、加熱調理器３０のスイッチ１５は、上記のように操作パネル１における操作表示のオン・オフ信号を制御部３１へ送る。制御部３１は、オン・オフ信号に基づいて操作パネル１の操作表示をオン状態またはオフ状態に制御する。
【００９３】
またオン状態の操作パネル１が受け付けたユーザーによる操作は、操作信号として操作パネル１から制御部３１へ送られる。制御部３１は、操作信号に基づいて加熱部２２のオン・オフ、加熱温度、加熱時間などを制御する。
【００９４】
またチャイルドロックとしての操作ボタン１８からは、ロック信号またはロック解除信号が制御部３１へ送られる。制御部３１は、このロック信号を操作ボタン１８から受け取ると、このロック信号の解除信号を受け取るまで、加熱の開始を禁止するように加熱部２２を制御する。またロック信号は、上記以外に、タイマー設定、湯沸・炊飯などの自動調理の設定などの操作を受け付けないように加熱調理器３０（操作パネル１の操作部など）を制御する。
【００９５】
また操作ボタン１８からロック解除信号が制御部３１へ送られると、制御部３１は、操作パネル１における加熱操作に基づいて、加熱部２２による加熱動作を制御する。また操作ボタン１８からロック解除信号が制御部３１へ送られると、制御部３１は、タイマー設定、湯沸・炊飯などの自動調理の設定などの操作を受け付けるように加熱調理器３０（操作パネル１の操作部など）を制御する。
【００９６】
また制御部３１は、調理状態などに応じてファン４４の回転を制御する信号をファン制御信号送信部３２へ送る。ファン制御信号送信部３２は、上記信号を受けると、ファン４４を制御する信号をたとえば赤外線信号として加熱調理器３０の外部へ送信する。
【００９７】
レンジフード４０のファン制御信号受信部４２は、ファン制御信号送信部３２から送信されたファン制御信号をたとえば赤外線信号にて受信し、ファン制御部４１へ送る。ファン制御部４１は、ファン制御信号に基づいて駆動源４３の駆動のオン・オフ、回転速度などを制御する。これにより加熱調理器３０における加熱状態に連動してレンジフード４０におけるファン４４の回転動作を自動で制御することが可能となる。
【００９８】
＜加熱調理器３０のキッチンキャビネット５０への組み付け＞
次に、本実施の形態の加熱調理器３０のキッチンキャビネット５０への組み付け方法について図８および図９を用いて説明する。
【００９９】
図８に示されるように、キッチンキャビネット５０は、加熱調理器３０を組み付けるための内部空間５０ａを有している。キッチンキャビネット５０の上面には、内部空間５０ａに通じる上方開口部５０ａｕが設けられている。またキッチンキャビネット５０の前面５０Ｆには、内部空間５０ａに通じる前方開口部５０ａｆが設けられている。
【０１００】
加熱調理器３０の本体部２１は、操作パネル駆動ユニットＯＵが組み付けられる前に、内部空間５０ａ内に挿入される。本体部２１は、上方開口部５０ａｕから内部空間５０ａ内に挿入される。本体部２１が内部空間５０ａ内に挿入された状態で、本体部２１の前面２１Ｆが前方開口部５０ａｆから露出する。
【０１０１】
本体部２１の前面２１Ｆが前方開口部５０ａｆから露出した状態で、本体部２１の前面２１Ｆに操作パネル駆動ユニットＯＵが取り付けられる。
【０１０２】
図９に示されるように、上記により加熱調理器３０は、キッチンキャビネット５０に組み付けられる。加熱調理器３０がキッチンキャビネット５０に組み付けられた状態において、起立姿勢にある操作パネル１の前面は、キッチンキャビネット５０の前面５０Ｆと実質的に連続した面を構成する。
【０１０３】
本体部２１を内部空間５０ａに挿入するために、本体部２１の幅Ｗ１は前方開口部５０ａｆの幅Ｗ２よりも小さく設定されている。このため本体部２１が内部空間５０ａ内に挿入された状態で、本体部２１の前面２１Ｆの横端部と前方開口部５０ａｆの横端部との間には、幅Ｗ３の隙間ＧＰが生じる。従来であれば、この隙間ＧＰを塞ぐために、サイドモールＰが装着されていた。
【０１０４】
これに対して本実施の形態では、操作パネル駆動ユニットＯＵにおける操作パネルの幅を大きくすることにより、上記の隙間ＧＰを塞ぐことができる。このため本実施の形態では、サイドモールＰを省略することが可能となる。
【０１０５】
＜本実施の形態の効果＞
本実施の形態によれば図１および図２に示されるように、操作パネル１が本体部２１の前面２１Ｆに取り付けられている。このため、加熱部２２によって被加熱物を加熱した場合でも、操作パネル１の温度が高くなることは防止される。よってユーザーは操作パネル１を容易に操作することができる。
【０１０６】
また操作パネル１は本体部２１の前方にて起立姿勢と傾斜姿勢との間で移動する。このため操作パネル１を本体部２１に格納する必要がなく、操作パネル１を大型化することが容易である。操作パネル１を大型化することによって、ユーザーによる操作パネル１の操作が容易となる。
【０１０７】
また操作パネル１を傾斜姿勢とすることにより、ユーザーが操作パネル１を視認しやすい状態にすることができる。このためユーザーによる操作パネル１の操作が容易となる。
【０１０８】
また操作パネル１を起立姿勢にすることもでき、起立姿勢においては図１に示されるように操作パネル１は本体部２１の前面２１Ｆとほぼ連続した面を構成する。このように起立姿勢にある操作パネル１は本体部２１の前面２１Ｆから前方に向けて突き出していないため、加熱調理器３０の付近を移動するユーザーが操作パネル１に引っかかることが防止される。
【０１０９】
また本実施の形態によれば図５に示されるように、傾斜姿勢における操作パネル１の上端１Ｕは起立姿勢における上端１Ｕの位置よりも高さＨ１だけ下方に位置する。これにより操作パネル１が傾斜姿勢にあるときには、操作パネル１を本体部２１の上面２１Ｔからさらに離すことができる。このため加熱部２２によって被加熱物を加熱した場合でも、操作パネル１の温度が高くなることはより確実に防止される。
【０１１０】
また本実施の形態によれば図５に示されるように、傾斜姿勢において、操作パネル１の下端１Ｌは、操作パネル１の上端１Ｕよりも前方に位置する。これにより操作パネル１は後方から前方に向かって下り勾配となる。このため加熱調理器３０の前方に立って加熱調理器３０を操作するユーザーは下前方に視線を向けることにより操作パネル１を見やすくなる。
【０１１１】
また本実施の形態によれば図４および図５に示されるように、支持構造体は、上部支持体２ａを少なくとも上下方向にスライド可能に支持し、かつ下部支持体２ｂを少なくとも前後方向にスライド可能に支持している。これにより操作パネル１を傾斜姿勢において後方から前方に向かって下り勾配とすることが可能となる。
【０１１２】
また本実施の形態によれば図３に示されるように、支持板１１には、上部支持体２ａを少なくとも上下方向にスライド可能にガイドするガイド穴１１ａが配置されている。ガイド穴１１ａは、第１ガイド穴部１１ａａと、第２ガイド穴部１１ａｂとを有している。第１ガイド穴部１１ａａは、上下方向に延びている。第２ガイド穴部１１ａｂは、第１ガイド穴部１１ａａの下部に接続され、かつ下方に向かうにしたがって前方に位置するように傾斜している。これにより操作パネル１は、起立姿勢から傾斜姿勢に移動する際に、他の部材に干渉しにくくなる。以下、そのことを図１０および図１１を用いて説明する。
【０１１３】
図１０は、ガイド穴１１ａが屈曲せずに上下方向に直線状に延びる比較例における操作パネル１の上端１Ｕの軌跡ＴＲＢを示している。図１０に示されるように、この比較例においては、操作パネル１の上端１Ｕの起立姿勢での位置と傾斜姿勢での位置との間の前後方向の距離Ｌ１は比較的大きくなる。このためＬ字パネル１７を操作パネル１に近付けると、操作パネル１がＬ字パネル１７に干渉する。よってＬ字パネル１７を操作パネル１から離して配置する必要があり、操作パネル駆動ユニットＯＵの前後方向の寸法が大きくなる。
【０１１４】
図１１は、ガイド穴１１ａが屈曲した本実施の形態における操作パネル１の上端１Ｕの軌跡ＴＲＢを示している。図１１に示されるように本実施の形態では、第１ガイド穴部１１ａａが上下方向に延び、第２ガイド穴部１１ａｂが下方に向かうにしたがって前方に位置するように傾斜している。
【０１１５】
これにより操作パネル１の上端１Ｕの起立姿勢における位置と傾斜姿勢における位置との間の前後方向の距離Ｌ２は、図１０に示す距離Ｌ１よりも小さくすることができる。このためＬ字パネル１７を操作パネル１に近付けて配置しても、操作パネル１がＬ字パネル１７に干渉することを防止できる。よってＬ字パネル１７を操作パネル１に近付けて配置することができ、操作パネル駆動ユニットＯＵの前後方向の寸法を小さくすることもできる。
【０１１６】
また本実施の形態によれば、操作パネルは、図４に示される起立姿勢においては操作ボタン１８の前方を覆い、かつ図５に示される傾斜姿勢においては操作ボタン１８の前方を開放する。これにより操作パネル１を起立姿勢にして操作ボタン１８を操作パネル１で隠すことによりシンプルな外観の加熱調理器３０を実現することができる。また操作パネル１を傾斜姿勢にして操作ボタン１８を操作パネル１から露出することによりユーザーによる操作ボタン１８の操作が可能になる。
【０１１７】
また本実施の形態によれば図４、図５に示される操作ボタン１８は、加熱調理器３０が操作を受け付けない状態となるように切り換える機能を有している。具体的には操作ボタン１８により、加熱調理器３０が、加熱部２２、２１Ｇにおける加熱開始、タイマー設定、湯沸・炊飯などの自動調理の設定などの操作を受け付けない状態に切り換えられる。また操作パネル１が起立姿勢にある場合には、この操作ボタン１８の前方を操作パネル１により覆うことができる。このように操作ボタン１８により加熱調理器３０が操作を受け付けない状態にされるとともに、操作ボタン１８の前方が操作パネル１により覆われることにより、幼児などによる加熱調理器３０の誤操作を抑制することが可能となる。
【０１１８】
また本実施の形態によれば図５に示されるように、加熱調理器３０は、操作パネル１が傾斜姿勢になると操作パネル１の表示部の電源をオンに切り換えるスイッチ１５を有している。これにより操作パネル１の傾斜姿勢への移行に伴って自動的に操作パネル１における表示部の電源をオンに切り換えることが可能となる。
【０１１９】
また本実施の形態によれば図６に示されるように、加熱調理器３０は、操作パネル１に設けられ、かつレンジフード４０におけるファン４４の動作を操作する信号を送信するファン制御信号送信部３２を有している。これにより操作パネル１が傾斜姿勢になることで、ファン制御信号送信部３２から送信された制御信号がユーザーに反射などすることにより上方のレンジフード４０のファン制御信号受信部４２に届きやすくなる。
【０１２０】
なお上記の実施の形態においては加熱調理器３０の一例としてガスこんろについて説明したが、本発明の加熱調理器３０は加熱コイルにより誘導加熱するＩＨ（Induction  Heating）クッキングヒーターのような電磁調理器であってもよい。
【０１２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２２】
１  操作パネル、１Ｌ  下端、１Ｕ  上端、２  支持部材、２ａ  上部支持体、２ｂ  下部支持体、２ｃ  取り付け部、３，４  軸、５  軸支持部、６  スライド部材、７  ラックギア、８  爪部、１１  支持板、１１ａ  ガイド穴、１１ａａ  第１ガイド穴部、１１ａｂ  第２ガイド穴部、１２  レール、１３  ロータリーダンパ、１４  爪係合部、１５  スイッチ、１５ａ，２１  本体部、１５ｂ  操作部、１６  付勢部材、１７  Ｌ字パネル、１７ａ  上下延在部、１７ｂ  前後延在部、１８  操作ボタン、２１Ｆ，５０Ｆ  前面、２１Ｇ  グリル加熱部、２１Ｔ  上面、２２  加熱部、３０  加熱調理器、３１  制御部、３２  ファン制御信号送信部、４０  レンジフード、４１  ファン制御部、４２  ファン制御信号受信部、４３  駆動源、４４  ファン、５０  キッチンキャビネット、５０ａ  内部空間、５０ａｆ  前方開口部、５０ａｕ  上方開口部、ＧＰ  隙間、ＯＵ  操作パネル駆動ユニット。
【図１】
2020085394.tif 000003
【図２】
2020085394.tif 000004
【図３】
2020085394.tif 000005
【図４】
2020085394.tif 000006
【図５】
2020085394.tif 000007
【図６】
2020085394.tif 000008
【図７】
2020085394.tif 000009
【図８】
2020085394.tif 000010
【図９】
2020085394.tif 000011
【図１０】
2020085394.tif 000012
【図１１】
2020085394.tif 000013